(57)【特許請求の範囲】
【請求項１】
通行規制情報や渋滞情報を含む道路情報の提供をネットワークを通じて行う情報提供者の端末と、道路利用者の端末と、前記提供される道路情報を登録し、要求に応じ前記道路利用者の端末に閲覧させる道路情報サイトを含む道路情報システムであって、前記道路情報サイトは、前記情報提供者の端末より道路情報の提供を受けると、その提供者の広告ないし宣伝の為の情報或いはこれを指定する情報をその端末より取得し、前記提供者の広告ないし宣伝の為の情報と前記道路情報を関連付けてデータベースに登録する道路情報登録・更新手段と、前記道路利用者端末からアクセスされると、これより地域ないし道路名を取得し、該当する道路情報とこれに関連付けられた広告ないし宣伝の為の情報を返信し道路情報と一緒に広告ないし宣伝を表示する道路情報提示手段とを有することを特徴とする道路情報システム。
【請求項２】
前記ネットワークがインターネット及び無線ネットワークを含み、前記情報提供者の端末や前記利用者の端末として携帯電話機か携帯情報端末かインターネット上のサイトにアクセスするカーナビゲーション装置を含む請求項１記載の道路情報システム。
【請求項３】
前記道路情報サイトのデータベースに予め各地域の道路地図情報を保持しておき、前記道路情報登録・更新手段が情報提供者端末からアクセスされると提供する道路情報が対象とする地域を取得し、その地域の道路地図情報を表示し、提供する道路情報が対象とする道路名、地図上の座標、道路情報内容を取得し、提供者の広告ないし宣伝の為の情報を取得しこれらを関連付けてデータベースに登録する手段も有し、前記道路情報提示手段が、道路利用者端末からアクセスされると地域ないし道路名を取得し、該当する地図を表示し選択された道路情報と対応する広告ないし宣伝を表示する手段も有することを特徴とする請求項２記載の道路情報システム。
【請求項４】
前記道路情報登録・更新手段が前記道路情報の提供を受けた際に、情報の有効期間も取得し、これを道路情報に対応付けタイムスタンプと共にデータベースに記録し、定期的にこの記録をチェックし有効期間を経過した道路情報をデータベースより削除する手段も有することを特徴とする請求項２記載の道路情報システム。
【請求項５】
前記道路情報サイトのデータベースには情報提供者の識別情報と対応させ広告ないし宣伝の為の情報を保持する様にし、前記道路情報登録・更新手段が道路情報提供を受け広告ないし宣伝の為の情報を取得する際の選択肢として登録済み情報という指定も含める様にし、この指定がなされた場合には情報提供者識別でデータベース中の広告ないし宣伝のための情報を特定し、これを提供された道路情報に関連付ける手段も有することを特徴とする請求項２記載の道路情報システム。
【請求項６】
前記広告ないし宣伝の為の情報は、バナー表示内容であり、前記道路情報提示手段は前記利用者端末で閲覧する道路情報が指定されると、それに関連付けられたバナー表示内容を目的の道路情報と共に表示することを特徴とする請求項１、２、３、４、又は５記載の道路情報システム。
【請求項７】
前記広告ないし宣伝の為の情報は、道路情報表示と一緒に表示するバナー表示か、道路情報表示の前或いは後の情報提供者ホームページへのリンク表示かを示す広告方法指定と、バナー表示内容或いはリンク先のホームページアドレスとし、前記道路情報登録・更新手段が前記広告ないし宣伝の為の情報を取得する際に情報提供者に広告方法を指定させる手段も有し、前記道路情報提示手段は前記利用者端末で閲覧する道路情報が指定されると、それに関連付けられた広告ないし宣伝の為の情報の広告方法がバナー表示であれば目的の道路情報と共に内容表示し、広告方法がリンク表示であれば目的の道路情報表示の前或いは後に指定されたアドレスのホームページの内容を表示する手段も有することを特徴とする請求項１、２、３、４、又は５記載の道路情報システム。
【請求項８】
通行規制情報や渋滞情報を含む道路情報やローカル地図情報の提供をネットワークを通じて行う情報提供者端末と、道路利用者の端末と、ローカル地図情報の利用者の端末と、前記提供される道路情報やローカル地図情報を登録し、要求に応じ前記道路の利用者や地図情報の利用者の端末に閲覧させる道路情報サイトを含む道路情報システムであって、前記道路情報サイトは、前記情報提供者の端末より道路情報の提供を受けると、その提供者の広告ないし宣伝の為の情報或いはこれを指定する情報をその端末より取得し、前記提供者の広告ないし宣伝の為の情報と前記道路情報を関連付け第１のデータベースに登録する道路情報登録・更新手段と、前記道路利用者端末からアクセスされると、これより地域ないし道路名を取得し、該当する道路情報と対応する広告ないし宣伝の為の情報を返信し道路情報と一緒に広告ないし宣伝を表示させる道路情報提示手段と、ローカル地図情報の提供を受けその提供者の広告ないし宣伝の為の情報を取得し、これらを関連付け第２のデータベースに登録し、前記地図情報の利用者端末からアクセスされると地域指定を取得し該当するローカル地図情報を閲覧させる地図情報登録・提示手段とを有することを特徴とする道路情報システム。
【請求項９】
前記第１のデータベースに予め地域ごとの道路地図情報を登録しておき、前記道路情報登録・更新手段が道路情報を取得する際及び前記道路情報提示手段が道路情報を提示する際に対応する地域の前記道路地図情報を端末に表示し、前記情報提供者は道路情報、ローカル地図情報の他に前記道路地図情報に対する更新情報も提供し、前記地図情報登録・提示手段は提供される更新情報も第２のデータベースに登録し、道路情報サイトは管理者が登録蓄積された更新情報を第２のデータベースより取り出し第１のデータベースの道路地図情報に反映させる処理を支援する地図情報編集更新手段も有することを特徴とする請求項８記載の道路情報システム。
【発明の詳細な説明】
【０００１】
【発明の属する技術分野】
本発明はネットワークを利用した道路情報システムに関し、一般道の通行規制や渋滞に関する情報の収集を提供者の広告宣伝と言う動機付けで促し、収集した道路情報を道路利用者に広告宣伝込みで閲覧させる道路情報システムや、ローカルな市街地図情報、道路地図更新情報も扱う道路情報システムに関する。
【０００２】
【従来の技術】
従来より、道路情報は高速道路や主要幹線道路の一部についてはラジオ等により定期的に渋滞情報等が流されている。又、この様な放送による一方的な通知では渋滞や通行規制情報が運転者等の道路利用者に確実に且つタイミングよく伝達される保証はない。これはどの放送局の番組を聴けば放送されるかを知らないこともあるし、うっかり聴き逃すこともあるためである。
【０００３】
そこでインターネット上のホームページで高速道路や主要幹線道路の一部について道路情報を提供することが提案され、一部で試されている。
【０００４】
図９はこの様な高速道路や主要幹線道路の道路情報システムを示したものである。図９を参照し説明すると、高速道路や主要幹線道路に設置された観測設備２０１〜２０４により観測情報を情報センター２０５に送信する。情報センター２０５は、観測情報をもとに道路情報ＨＰ（ホームページ）２０６に情報を入力する。利用者１０１、・・１０４は、道路情報ＨＰ２０６にアクセスし、これに掲載されている情報を入手する。
【０００５】
利用者は道路の利用及び上記情報提供サービスに対して道路利用料を支払っている（観測設備を含めた道路情報システムの設備、運用費用がこれら高速道路や幹線道路の利用料で賄われている）。
【０００６】
【発明が解決しようとする課題】
この様な幹線道路情報システム２００は、道路利用料の一部を資金として提供されており、利用者１０１、・・１０４からの納付のない一般道等では殆どサービスが困難である。従って上記従来の道路情報システムには、道路情報がサポート範囲が広ければ広いほど有効なものであるにも拘わらず、定型情報には強いがサポート範囲が狭くサービスを拡張しにくく、ビジネスとして成立しにくいという欠点があった。
【０００７】
即ち、一般道にサポート範囲を広げることは、設備・費用の面で殆ど不可能である。この結果一般道での道路情報は、看板等に頼っているため運転者が利用して初めて工事や事故渋滞を知る程度であった。
【０００８】
更に道路情報の様に日々変化、伸長している膨大なデータを、ある特定の業者・団体が一括して処理し有意義なサービスとして提供することは不可能であった。
【０００９】
【課題を解決するための手段】
本発明の第１の道路情報システムは、通行規制情報や渋滞情報を含む道路情報の提供をネットワークを通じて行う情報提供者の端末と、道路利用者の端末と、前記提供される道路情報を登録し、要求に応じ前記道路利用者の端末に閲覧させる道路情報サイトを含む道路情報システムであって、前記道路情報サイトは、前記情報提供者の端末より道路情報の提供を受けると、その提供者の広告ないし宣伝の為の情報或いはこれを指定する情報をその端末より取得し、前記提供者の広告ないし宣伝の為の情報と前記道路情報を関連付けてデータベースに登録する道路情報登録・更新手段と、前記道路利用者端末からアクセスされると、これより地域ないし道路名を取得し、該当する道路情報とこれに関連付けられた広告ないし宣伝の為の情報を返信し道路情報と一緒に広告ないし宣伝を表示する道路情報提示手段とを有することを特徴とする。
【００１０】
本発明の第２の道路情報システムは、前記第１の道路情報システムに於いて、前記ネットワークがインターネット及び無線ネットワークを含み、前記情報提供者の端末や前記利用者の端末として携帯電話機か携帯情報端末かインターネット上のサイトにアクセスするカーナビゲーション装置を含むことを特徴とする。
【００１１】
本発明の第３の道路情報システムは、前記第２の道路情報システムに於いて、前記道路情報サイトのデータベースに予め各地域の道路地図情報を保持しておき、前記道路情報登録・更新手段が情報提供者端末からアクセスされると提供する道路情報が対象とする地域を取得し、その地域の道路地図情報を表示し、提供する道路情報が対象とする道路名、地図上の座標、道路情報内容を取得し、提供者の広告ないし宣伝の為の情報を取得しこれらを関連付けてデータベースに登録する手段も有し、前記道路情報提示手段が、道路利用者端末からアクセスされると地域ないし道路名を取得し、該当する地図を表示し選択された道路情報と対応する広告ないし宣伝を表示する手段も有することを特徴とする。
【００１２】
本発明の第４の道路情報システムは、前記第２の道路情報システムに於いて、前記道路情報登録・更新手段が前記道路情報の提供を受けた際に、情報の有効期間も取得し、これを道路情報に対応付けタイムスタンプと共にデータベースに記録し、定期的にこの記録をチェックし有効期間を経過した道路情報をデータベースより削除する手段も有することを特徴とする。
【００１３】
本発明の第５の道路情報システムは、前記第２の道路情報システムに於いて、前記道路情報サイトのデータベースには情報提供者の識別情報と対応させ広告ないし宣伝の為の情報を保持する様にし、前記道路情報登録・更新手段が道路情報提供を受け広告ないし宣伝の為の情報を取得する際の選択肢として登録済み情報という指定も含める様にし、この指定がなされた場合には情報提供者識別でデータベース中の広告ないし宣伝のための情報を特定し、これを提供された道路情報に関連付ける手段も有することを特徴とする。
【００１４】
本発明の第６の道路情報システムは、前記第１、第２、第３、第４、又は第５の道路情報システムに於いて、前記広告ないし宣伝の為の情報は、バナー表示内容であり、前記道路情報提示手段は前記利用者端末で閲覧する道路情報が指定されると、それに関連付けられたバナー表示内容を目的の道路情報と共に表示することを特徴とする。
【００１５】
本発明の第７の道路情報システムは、前記第１、第２、第３、第４、又は第５の道路情報システムに於いて、前記広告ないし宣伝の為の情報は、道路情報表示と一緒に表示するバナー表示か、道路情報表示の前或いは後の情報提供者ホームページへのリンク表示かを示す広告方法指定と、バナー表示内容或いはリンク先のホームページアドレスとし、前記道路情報登録・更新手段が前記広告ないし宣伝の為の情報を取得する際に情報提供者に広告方法を指定させる手段も有し、前記道路情報提示手段は前記利用者端末で閲覧する道路情報が指定されると、それに関連付けられた広告ないし宣伝の為の情報の広告方法がバナー表示であれば目的の道路情報と共に内容表示し、広告方法がリンク表示であれば目的の道路情報表示の前或いは後に指定されたアドレスのホームページの内容を表示する手段も有することを特徴とする。
【００１６】
本発明の第８の道路情報システムは、通行規制情報や渋滞情報を含む道路情報やローカル地図情報の提供をネットワークを通じて行う情報提供者端末と、道路利用者の端末と、ローカル地図情報の利用者の端末と、前記提供される道路情報やローカル地図情報を登録し、要求に応じ前記道路の利用者や地図情報の利用者の端末に閲覧させる道路情報サイトを含む道路情報システムであって、前記道路情報サイトは、前記情報提供者の端末より道路情報の提供を受けると、その提供者の広告ないし宣伝の為の情報或いはこれを指定する情報をその端末より取得し、前記提供者の広告ないし宣伝の為の情報と前記道路情報を関連付け第１のデータベースに登録する道路情報登録・更新手段と、前記道路利用者端末からアクセスされると、これより地域ないし道路名を取得し、該当する道路情報と対応する広告ないし宣伝の為の情報を返信し道路情報と一緒に広告ないし宣伝を表示させる道路情報提示手段と、ローカル地図情報の提供を受けその提供者の広告ないし宣伝の為の情報を取得し、これらを関連付け第２のデータベースに登録し、前記地図情報の利用者端末からアクセスされると地域指定を取得し該当するローカル地図情報を閲覧させる地図情報登録・提示手段とを有することを特徴とする。
【００１７】
本発明の第９の道路情報システムは、前記第８の道路情報システムに於いて、前記第１のデータベースに予め地域ごとの道路地図情報を登録しておき、前記道路情報登録・更新手段が道路情報を取得する際及び前記道路情報提示手段が道路情報を提示する際に対応する地域の前記道路地図情報を端末に表示し、前記情報提供者は道路情報、ローカル地図情報の他に前記道路地図情報に対する更新情報も提供し、前記地図情報登録・提示手段は提供される更新情報も第２のデータベースに登録し、道路情報サイトは管理者が登録蓄積された更新情報を第２のデータベースより取り出し第１のデータベースの道路地図情報に反映させる処理を支援する地図情報編集更新手段も有することを特徴とする。
【００１８】
【発明の実施の形態】
次に、本発明の実施の形態について図面を参照して詳細に説明する。図１は、本発明の道路情報システムの第１実施形態のシステム構成を示した図である。道路情報システムは、無線ネットワーク１１やインターネット１０を用い道路情報を提供する情報提供者の端末３−１、３−２と、情報の提供を促し取得した道路情報や提供者の広告情報を道路情報ＤＢ（データベース）２２に登録しインターネット１０上のＨＰ（ホームページ）として広告情報を見せながら道路情報を提供する道路情報サイト２と、これにアクセスし道路情報や広告情報を閲覧する利用者の端末１−１、１−２を含む。
【００１９】
情報提供者端末３−１、３−２は携帯電話機、ＰＤＡ（携帯情報端末）、パソコン等の装置であり、ディスプレイ、キーボード或いはキーパッド等の入力手段を備え、ブラウザを搭載しＨＰにアクセスする機能を持つ。
【００２０】
利用者端末１−１、１−２も携帯電話機、ＰＤＡ、パソコンであり同様にＨＰにアクセスする機能を持っている。或いはＨＰにアクセス出来るカーナビゲーション装置であってもよい。
【００２１】
道路情報サイト２は道路情報ＨＰを構成するためのサーバ２１と道路情報ＤＢ２２を備えている。
【００２２】
情報提供者が既存のＨＰを所有していれば情報提供者ＨＰ４もインターネット１０に通信接続されており、このＨＰは提供者の指定があれば利用者が道路情報を閲覧する際に自動的にリンクされ利用者に送信される。
【００２３】
道路情報とは通行規制情報、渋滞情報、事故情報、路面や壁面の状況情報（凍結や雪でスリップし易くなっている、土砂や雪の落下の危険性がある等）である。
【００２４】
図２は道路情報サイト２の詳細構成を示したブロック図である。サーバ２１はウェブサーバ等でありウェブ通信手段２１１と道路情報登録・更新手段２１２と道路情報提示手段２１３を含む。
【００２５】
ウェブ通信手段２１１は道路情報サイト２の代表ＵＲＬ（Ｕｎｉｆｏｒｍ  Ｒｅｓｏｕｒｃｅ  Ｌｏｃａｔｏｒ）を保持し、インターネット１０を通じアクセスされると受信情報を宛先ＵＲＬの下位に応じて道路情報登録・更新手段２１２か道路情報提示手段２１３に渡す。又、内部の複数の通信ポートのそれぞれに前記手段が通信接続中の端末の通信アドレスを保持し、道路情報登録・更新手段２１２や道路情報提示手段２１３から送信情報を受け取り対応する接続中の端末に送信する。
【００２６】
道路情報登録・更新手段２１２は情報提供者端末３−１、３−２よりアクセスされると地域指定画面情報２１２１を送信し情報提供者端末のブラウザに表示させ、情報提供者が指定する地域を取得し指定された地域の地図情報と、入力画面情報２１２２を送信し情報提供者端末のブラウザに表示させ、道路情報とその位置情報と提供者の広告情報（広告メッセージ或いはリンク先ＵＲＬ）を取得し、道路情報ＤＢ２２に登録する。
【００２７】
道路情報提示手段２１３は利用者端末１−１、１−２よりアクセスされると地域指定画面情報２１３１を送信し利用者端末に表示させ、利用者が指定する地域を取得し指定された地域の地図情報と、道路指定画面情報２１３２を送信し表示させ、道路名（ないし路線名）を取得する。そしてその道路（路線）に対応するリンク情報（道路情報及び広告情報を地図に関連づける情報で地図上の座標に道路情報番号とその提供者の広告情報番号を関連づけた情報）、対応する道路情報、広告情報を伴って出力画面情報２１３３を送信する。
【００２８】
出力画面情報２１３３が利用者端末のブラウザの配下で実行され、道路情報の種別マークの入った地図が表示されそれがクリック等で指定されると、その場所で起こっている規制情報や渋滞情報が表示され同時に広告情報も表示される。或いは情報提供者ＨＰ４にリンクし広告表示された後に規制情報や渋滞情報が表示される。
【００２９】
道路情報ＤＢ２２は地域（例えばＡＢ県の西北、西南、東北、東南等）ごとの地図情報、リンク情報、広告情報、管理情報を保持している。
【００３０】
図３を参照し、リンク情報は地図上の座標にそこで発生している道路情報と、その道路情報を提供した者の広告情報を関連付ける情報である。例えば＃１レコードの情報は座標Ａに渋滞（渋滞マーク）があり、内容は道路情報の＃１０１−１であり宣伝するべき広告情報は＃２の広告情報であることを示している。又、この道路情報の有効時間ないし有効期間は２時間であり、タイムスタンプの日時に登録されたことを示している。
【００３１】
＃Ｌレコードの情報は座標Ｚに規制（通行規制マーク）があり、内容は道路情報の＃１０４−Ｎであり宣伝するべき広告情報は＃Ｍの広告情報であり、有効期間は１週間であることを示している。
【００３２】
各広告情報は道路情報と一緒に表示するバナー広告か情報提供者ＨＰ４へのリンク表示かを指定する広告方法フラグと、バナー広告内容（ハイパーテキスト）或いはリンク先ＵＲＬ名から構成される。
【００３３】
管理情報は情報提供者端末３や利用者端末１には送信されず内部管理用の情報であり、情報提供者の個人情報と提供された道路情報のレコード番号と一緒に受信した広告情報のレコード番号から構成される。
【００３４】
次に、本実施形態の動作について図面を参照して説明する。先ず道路情報の提供とその登録、更新、削除について説明する。
【００３５】
道路工事会社の通報担当者が工事に伴う通行規制情報（通行禁止、２車線を１車線にし臨時に上り／下りを切り替える車線規制、規制時間や期間）を道路情報サイト２に入力し、情報提供者３として道路工事会社の広告情報を入力する。このとき、工事現場からも携帯電話等を使ってリアルタイムに情報（工事の完了や渋滞情報）を更新してもよい。
【００３６】
事故の場合は、同様に警察の担当者が通行規制情報を情報提供者３として入力することも可能である。又、道路沿線の商店や住民が道路工事や事故による規制情報や渋滞情報や警告情報（事故や道路状況）を情報提供者３として入力し、情報提供者３の情報として商店の情報を入力することも可能である。
【００３７】
この例について図２〜図５を参照し詳細に説明する。図２を参照し、商店（ＸＸ自動車販売）の担当者が端末を用い道路情報サイト２にアクセスし、ウェブ通信手段２１１が情報の提供か閲覧かを選択させる。情報提供が指定されると道路情報登録・更新手段２１２にアクセス要求を伝える。
【００３８】
道路情報登録・更新手段２１２は地域指定画面情報２１２１（画面データとそれに関連付けられた表示や返信等を実行する手続き）を情報提供者端末３のブラウザに返信する。地域指定画面情報２１２１がブラウザ配下で実行開始され、図４の（１）に示す表示がされる。情報提供者は地域としてＡＢ県西北部を選択し、渋滞情報を選択し、新規情報登録を選択し送信指示する。
【００３９】
道路情報登録・更新手段２１２は受信した地域指定より道路情報ＤＢ２２の地図情報（ＡＢ県西北）とリンク情報の座標と情報種別を読み出しこれらと入力画面情報２１２２を送信する。
【００４０】
情報提供者端末３で同様に入力画面情報２１２２が実行されると図４（２）に示す道路情報種別マーク入りの地図情報が表示される（但し□マークはこの時はないものとする）。
【００４１】
情報提供者は地図画面で渋滞発生場所（県道１０１のＢ町交差点より若干Ｃ町寄り）をクリック等で指定すると図５に示す画面が表示される。場所の「県道１０１号Ｂ町」という内容が誤っていないことを確認し、道路情報欄に「上り方向（Ｃ町方面）がＢ町交差点より１Ｋｍに亘り渋滞中」と入力し、又有効期間を「２時間」と入力する。そして広告方法としてバナーの内容を選択し対応する欄に「ＸＸ自動車販売では・・・」という広告メセージを入力し最後に情報提供者の個人情報を入力する。これらの座標情報や入力した情報は入力画面情報２１２２の手続き部分により道路情報登録・更新手段２１２に返送される。
【００４２】
図２に戻り、道路情報登録・更新手段２１２は座標情報が道路情報ＤＢ２２のリンク情報に登録されてない新規座標であると判断すると、新規情報と見なし、取得した道路情報を県道１０１に関するセクションの追加レコードに登録し、管理情報に無い新規の情報提供者であれば取得した広告情報を追加登録し登録済みの情報提供者であれば対応する広告情報エリアを受信情報で更新し、リンク情報の県道１０１のセクションの追加レコードに取得した座標、渋滞フラグ、道路情報番号、広告情報番号、有効時間、タイムスタンプを記録する。
【００４３】
又、管理情報は新規であれば追加し、取得した個人情報（電話番号と氏名等の個人を識別出来る情報）と同じ個人情報が登録されていれば道路情報番号、広告情報番号のみ更新しておく。
【００４４】
道路情報登録・更新手段２１２は例えば０．５時間間隔といった定期的に道路情報ＤＢ２２のリンク情報の格レコードの有効時間や期間とタイムスタンプをチェックし、その時の日時、時刻が（タイムスタンプ＋有効時間（期間））を越えていればそのレコード及びそれが示す道路情報を削除する。
【００４５】
次に利用者端末１から道路情報を閲覧する動作を説明する。図２を参照し、利用者は端末を用い道路情報サイト２にアクセスし、ウェブ通信手段２１１が情報の提供か閲覧かを選択させる。閲覧が指定されると道路情報提示手段２１３にアクセス要求を伝える。
【００４６】
道路情報提示手段２１３は地域指定画面情報２１３１を利用者端末１のブラウザに返信する。地域指定画面情報２１３１がブラウザ配下で実行開始され、図４の（１）の内の地域選択メニューが表示がされ、利用者は選択し送信する。
【００４７】
道路情報提示手段２１３は指定された地域の地図情報と道路指定画面情報２１３２を送信する。利用者端末１はブラウザの配下で道路指定画面情報２１３２を実行し図４の（２）の地図を表示する（但し道路情報の種別マークは含まず）利用者は地図上の県道１０１をクリック等で指定する。道路指定画面情報２１３２がこれを検出し道路指定として「１０１」を道路情報提示手段２１３に送信する。
【００４８】
道路情報提示手段２１３は道路情報ＤＢ２２のＡＢ県西北のリンク情報の内道路情報レコード番号が１０１であるレコードと、これが指定する道路情報と、広告情報と出力画面情報２１３３とを利用者端末１に送信する。
【００４９】
利用者端末１で出力画面情報２１３３が実行開始され、地図情報に道路情報種別マーク（■、□、△等）を合成し表示する。利用者が例えば□をクリック等で指定すると出力画面情報２１３３の手続き部がその座標を取得し、対応するリンク情報を選定し、それが示す道路情報、広告情報を取得する。ここで広告情報の冒頭にある広告方法フラグがバナー広告であれば前記手続き部は広告情報のデータ部分を表示する。この表示例を図６に示す。
【００５０】
即ち、渋滞情報であること、情報の入手日時、渋滞内容の表示と一緒に情報提供者のバナー広告が表示される。
【００５１】
ここで、前記手続き部が取得した広告情報の広告方法がリンクを示していれば先ず図７（１）に示す様な情報提供者ＨＰ４への誘導画面を表示し、情報提供者ＨＰ４への移行を選択させ図７（２）の情報提供者ＨＰ４の表示を行なう。利用者が「戻る」を指定すると前記手続きの後半の表示命令を実行する。即ち、図７の（３）の渋滞情報を表示する。
【００５２】
この様な表示制御を行うには例えば、出力画面情報２１３３の手続き部がブラウザにリンク先ＵＲＬを渡しリンク指示する際に戻り番地を後半の表示タグ命令アドレスとしておく。  ブラウザに対し戻りアドレスを指定出来ない場合は、出力画面情報２１３３の手続き部に対応した制御パラメータエリアにリンク実行済みフラグを持たせ、この手続き部の最初にリンク実行済みフラグオンで後半の表示タグ命令に分岐する条件分岐をおき、リンクを実行する際にこのフラグをオンとしてからブラウザにリンク先ＵＲＬを渡す様にしておく。
【００５３】
これにより情報提供者ＨＰ４から戻って、ブラウザが出力画面情報２１３３の手続きを再呼出すると後半の表示タグ命令から或いは条件分岐の次に後半の表示タグ命令が実行される。
【００５４】
以上詳細な動作説明は渋滞情報の登録、閲覧について行ったが、通行規制情報や事故情報、路面や壁面の状況情報についても同様に登録し、閲覧する。
【００５５】
尚、警察等の通行規制情報の登録では広告情報の代わりに事件や事故に関する目撃情報の提供を呼びかけるメッセージを入れても良い。又、特に情報提供の見返りを要求しない場合には広告や宣伝方法の指定画面で無選択にしておけば、道路情報登録・更新手段２１２は道路情報ＤＢ２２のリンク情報の対応値をＮＵＬＬとして登録し、道路情報提示手段２１３の出力画面情報２１３３の手続きは広告情報の表示をスキップして実行する。
【００５６】
尚、広告情報は単独で登録更新出来る様にそのメニューあるいは選択肢を用意し、情報提供者が事前に、個人情報と更新内容を送信し更新要求し、道路情報登録・更新手段２１２が道路情報ＤＢ２２の管理情報を個人情報で引き、広告情報番号を得てそのレコードの広告情報を更新し、道路情報を提供した際に「前回に同じ若しくは登録済み」を指定する。
【００５７】
道路情報登録・更新手段２１２は「前回に同じ若しくは登録済み」が指定されると個人情報で道路情報ＤＢ２２の管理情報を引き広告情報番号を得てそれをリンク情報に書き込む。この様にして提供者の毎回の広告情報指定を不要とし、又事前更新を可能にする。
【００５８】
次に、本発明の第２実施形態について図８を参照して詳細に説明する。図８は、本発明の道路情報システムの第２実施形態における道路情報サイト２Ａの構成を示した図で、道路情報及び地図情報のＨＰを構成するためのサーバ２１Ａと道路情報ＤＢ２２と地図情報ＤＢ２３を備えている。
【００５９】
サーバ２１Ａは前記と同様の道路情報登録・更新手段２１２、道路情報提示手段２１３の他、地図情報登録・提示手段２１４、地図情報編集更新手段２１５、入出力手段２１６を備えている。
【００６０】
道路情報登録・更新手段２１２の入力画面情報２１２２や、道路情報提示手段２１３の出力画面情報２１３３はローカルな市街地や市町村の地図情報の提供や、道路情報用の地図の更新情報の提供を促すメセージ情報と地図情報ＨＰ（地図情報登録・提示手段２１４）へのリンクを誘導する情報、手続きが付加されている。
【００６１】
地図情報登録・提示手段２１４は情報提供者からアクセスされると、地域と区分（ローカルな市街地や市町村の地図情報か道路情報用の地図の更新情報かの区分）を取得し、ローカル地図情報（ハイパーテキストファイル等）或いは道路用地図更新情報（新設或いは廃止された橋、道路等の情報、道路のルート変更情報等でハイパーテキストファイル等）を受信し、地域、区分毎に分類して地図情報ＤＢ２３に登録する。この際地図情報提供者の広告情報も取得し、これらと作成したリンク情報とを地図情報ＤＢ２３に登録する。
【００６２】
尚、広告情報は同じ提供者の広告情報が道路情報ＤＢ側に登録されておれば別途の登録を省略すると同じ広告情報が関連付けられる。
【００６３】
地図情報登録・提示手段２１４は利用者からアクセスされると、閲覧したい地図の地域を取得し、登録されているその地域のローカル地図情報や道路用地図更新情報、リンク情報、広告情報を送信し地図情報や更新情報を広告情報と共に表示する。
【００６４】
地図情報編集更新手段２１５は道路情報サイト２Ａの管理者が入出力手段２１６を用いて地図情報ＤＢ２３の道路地図更新情報を読み出し、表示し、指示により道路情報ＤＢ２２に登録された地図情報を更新するための手段である。
【００６５】
この手段は指示元が道路情報サイト２の管理者であることをパスワードで確認すると、インターネット１０を通じても指示を受付け、地図情報ＤＢに蓄積された更新情報を返し、指示により道路情報ＤＢ２２に登録された地図情報を更新する。
【００６６】
利用者が得た道路情報で表示される道路地図やローカル地図情報は、一般道路網に関する情報であり、日々変化、伸長しているため、インターネットでの提供に適しており、地図として有効に利用できる。
【００６７】
【発明の効果】
以上説明した様に、本発明の道路情報システムは提供者の広告や宣伝を一緒に表示するという見返り条件で、道路工事会社、道路沿いの商店や住民からの道路情報を収集するので、利用料金収入の無い一般道についても、日々変化している通行規制や渋滞情報等の道路情報をきめ細かく道路利用者に提供できる効果を有する。
【００６８】
又、本発明の道路情報システムの第２実施形態は、提供者の広告や宣伝を一緒に表示するという見返り条件で、道路情報や地図情報を収集するので、前記効果の他、一般道の道路情報やローカルな市街地図についても、日々変化している情報をきめ細かく利用者に提供できるという効果も有し、道路情報用地図の更新も費用を掛けずに行えるという相乗効果も有する。
【図面の簡単な説明】
【図１】本発明の道路情報システムの第１実施形態のシステム構成を示す図。
【図２】本発明の第１実施形態の道路情報サイト２の構成を示すブロック図。
【図３】図２の道路情報ＤＢ２２の構成を補足説明する為の図。
【図４】（１）は地域指定画面情報２１２１による画面例を示し、（２）は出力画面の地図画面の例を示す図。
【図５】入力画面情報２１２２による入力画面を示す図。
【図６】出力画面の道路情報画面例を示す図。
【図７】広告方法がリンクの場合の出力する画面を順に示す図。
【図８】本発明の道路情報システムの第２実施形態における道路情報サイト２Ａの構成を示すブロック図。
【図９】従来の道路情報システムの全体構成を示した図。
【符号の説明】
１    利用者端末
１０    インターネット
１１、１２    無線ネットワーク
２、２Ａ    道路情報サイト
２１、２１Ａ    サーバ
２１１    ウェブ通信手段
２１２    道路情報登録・更新手段
２１２１    地域指定画面情報
２１２２    入力画面情報
２１３    道路情報提示手段
２１３１    地域指定画面情報
２１３２    道路指定画面情報
２１３３    出力画面情報
２１４    地図情報登録・提示手段
２１５    地図情報編集更新手段
２１６    入出力手段
２２    道路情報ＤＢ
２３    地図情報ＤＢ
３    情報提供者端末
４    情報提供者ＨＰ
【図１】
0003580278.tif 000002
【図２】
0003580278.tif 000003
【図３】
0003580278.tif 000004
【図４】
0003580278.tif 000005
【図５】
0003580278.tif 000006
【図６】
0003580278.tif 000007
【図７】
0003580278.tif 000008
【図８】
0003580278.tif 000009
【図９】
0003580278.tif 000010